(57)【要約】      （修正有）【課題】害虫に対する忌避性能を有するペット用トイレ砂を提供する。【解決手段】吸湿・吸着性基材と、害虫に対する忌避剤とを含むペット用トイレ砂において、前記忌避剤はヨモギエキス含有液及びドクダミエキス含有液を主成分とする植物エキス含有液組成物からなり、前記ヨモギエキス含有液と前記ドクダミエキス含有液は、共に同じ抽出方法によって原料ヨモギ及び原料ドクダミから抽出された抽出原液である。【選択図】なし【特許請求の範囲】
【請求項１】
吸湿・吸着性基材と、害虫に対する忌避剤とを含むことを特徴とするペット用トイレ砂。
【請求項２】
前記忌避剤は、ヨモギエキス含有液及びドクダミエキス含有液を主成分とする植物エキス含有液組成物からなる請求項１に記載のペット用トイレ砂。
【請求項３】
前記ヨモギエキス含有液と前記ドクダミエキス含有液は、共に同じ抽出方法によって原料ヨモギ及び原料ドクダミから抽出された抽出原液である請求項２に記載のペット用トイレ砂。
【請求項４】
前記植物エキス含有液組成物において、ヨモギエキス含有液とドクダミエキス含有液の含有比は、質量比で７５：２５〜５０：５０である請求項２または３に記載のペット用トイレ砂。
【請求項５】
前記植物エキス含有液組成物は、緑茶エキス成分、熊笹エキス成分、朝鮮人参葉炭化エキス成分、山椒炭化エキス成分、檜地下茎エキス成分、菖蒲葉エキス成分及びびわ葉エキス成分から選ばれる少なくとも一種の成分をさらに含む請求項２ないし４のいずれかに記載のペット用トイレ砂。
【発明の詳細な説明】
【技術分野】
【０００１】
本発明は、家庭用ペット（イヌ、ウサギ、モルモット等）用、特にネコ用のトイレ砂に関する。
【背景技術】
【０００２】
近年、愛玩動物の排泄物処理を容易にするために、いわゆるペット用トイレ砂の使用が普及している。特にネコ用のトイレ砂は広く用いられている。ペット用トイレ砂は、通常、ペット用トイレと呼ばれる容器の敷材として用いられる。
従来、ペット用トイレ砂等の分野においては、消臭（脱臭）、抗菌等の機能性を付与した砂が各種提案されている。
例えば、砂場等に用いられる砂において、無機系抗菌剤を砂に付着コーティングさせた抗菌砂が提案されている（特許文献１参照）。
また、ペットの汚物から発生する悪臭を効率良くマスクすることのできるペット用トイレ砂として、香料前駆体物質を配合してなるペット用トイレ砂が提案されている（特許文献２参照。）。
【０００３】
なお、各種分野において、動物、有害昆虫等に対する忌避剤の提案がなされている。
例えば、樟脳、石膏、ガラス繊維、無機酸化物ゾルの配合物を含有する動物用忌避剤が提案されている（特許文献３参照。）。
また、水蒸気蒸留によって製造された月桃精油などのような植物から抽出した成分を主成分とした液体を、細粒もしくは粉状化した風化造礁サンゴに吸着させてなる害虫忌避用粉粒物が提案されている（特許文献４参照。）。
レモングラス油、ラベンダー油、オレンジ油、シトロネール、ゲラニオール、シトラール、テルピネオール、オイゲノール、植物乾留液のうちの一種以上からなる動物及び有害昆虫の駆除及び忌避剤が提案されている（特許文献５参照。）。
【特許文献１】特開平８−３００９号公報
【特許文献２】特開平９‐１８７１８３号公報
【特許文献３】特開２０００−２３９１０８号公報
【特許文献４】特開２００１−１１４６２２号公報
【特許文献５】特開２００２−６０３０８号公報
【発明の開示】
【発明が解決しようとする課題】
【０００４】
しかし、動物が使用するペット用トイレ砂に、害虫忌避の性能を発揮させることは従来提案されていなかった。
これに対し、本発明は、害虫に対する忌避性能を有するペット用トイレ砂を提供することを目的とする。
【課題を解決するための手段】
【０００５】
本発明者らは、ペット用トイレ砂自体に忌避剤を含ませることに想到し、本発明を完成した。
すなわち本発明のペット用トイレ砂は、吸湿・吸着性基材と、害虫に対する忌避剤とを含むことを特徴とする。
前記忌避剤は、ヨモギエキス含有液及びドクダミエキス含有液を主成分とする植物エキス含有液組成物からなることが好ましい。
前記ヨモギエキス含有液と前記ドクダミエキス含有液は、共に同じ抽出方法によって原料ヨモギ及び原料ドクダミから抽出された抽出原液であることが好ましい。
前記植物エキス含有液組成物において、ヨモギエキス含有液とドクダミエキス含有液の含有比は、質量比で７５：２５〜５０：５０であることが好ましい。
前記植物エキス含有液組成物は、緑茶エキス成分、熊笹エキス成分、朝鮮人参葉炭化エキス成分、山椒炭化エキス成分、檜地下茎エキス成分、菖蒲葉エキス成分及びびわ葉エキス成分から選ばれる少なくとも一種の成分をさらに含むことが好ましい。
【発明の効果】
【０００６】
本発明によれば、当該トイレ砂自体が害虫に対する忌避性能を有するようなペット用トイレ砂が提供される。
【発明を実施するための最良の形態】
【０００７】
本発明のペット用トイレ砂は、吸湿・吸着性基材と、害虫に対する忌避剤とを含む。
（吸湿・吸着性基材）
吸湿・吸着性基材（以下、「基材」という）としては、ネコなどのペットの排泄物を吸収あるいは吸着するのに充分な吸湿性および吸着性を有するものであればよく、従来いわゆるネコ砂として知られているものを用いることができる。提供されているネコ砂として、例えば、砂、ベントナイト、ゼオライト、麦飯石等の無機基材、及びこれらの混合物が挙げられる。また、紙チップ、草木チップ、樹脂片等も例示される。
上記無機基材の形状は、砂利状、顆粒状、粉状のいずれであってもよい。
また、上記紙チップの材料は、パルプから新たに抄紙された紙であっても、紙廃材であっても、再生紙であってもよい。
上記草木チップの材料は、木材、わら、いぐさ等の草木材；建築廃材等の草木廃材；再生草木材のいずれであってもよい。
上記樹脂片の形状は、粒状、発泡粒状、ペレット状等が例示される。樹脂片の材料樹脂としては、１）シリカゲル系、２）アクリル系吸水ポリマー、３）ポリビニルアルコール系、４）ウレタン樹脂系、５）セルローズ樹脂系等が例示される。
これらの基材は、１種で用いても、任意の２種以上を用いてもよい。これらの中でも、ベントナイトが吸水性に優れる。また、ゼオライトは脱臭性能に優れ、また多孔質であるから忌避剤を後述のように含浸させることが容易である。脱臭性能および吸水性を良好とするために、基材として、ゼオライトとベントナイトの混合物が特に好ましく用いられる。
【０００８】
基材は、周囲に飛散しにくく、ネコ等に違和感を与えない粒径を有するものが好ましく、好ましくは平均粒径が０．１ｍｍ〜１０ｍｍ、さらに好ましくは１ｍｍ〜５ｍｍのものが使用される。
【０００９】
（忌避剤）
害虫に対する忌避剤（以下、「忌避剤」という）としては、害虫忌避用として入手可能な合成忌避剤または天然忌避剤を用いることができる。
本発明において忌避対象となる害虫としては、ネコを加害する害虫や、その他愛玩動物、ヒト等を加害する害虫や、ヒトの生活上不快な虫類などが挙げられる。ネコ、その他愛玩動物、ヒト等を加害する害虫として、ネコノミ、イヌノミ等の隠翅目害虫、シラミ目害虫、アカイエカ、ヌカカ、イエバエ、キンバエ、サシバエ、ウシアブ等の双翅目害虫、マダニ等のダニ類などが挙げられる。さらに、ヒトの生活上不快な虫類として、コクゾウ、スジコナマダラメイガ、ノシメマダラメイガ等のメイガ科（Ｐｙｒａｌｉｄａｃ）、ゴキブリ等の貯穀害虫、コイガのような衣料害虫、蟻、ゴミ虫、蛾、羽蟻等が挙げられる。
なお、忌避剤の種類を適宜選択することにより、重点的に忌避させる虫類を選択することも可能である。
【００１０】
合成忌避剤としては、ピレスロイド系等が例示される。天然忌避剤としては、ヨモギエキス含有液及びドクダミエキス含有液を主成分とする植物エキス含有液組成物等が例示される。
【００１１】
本発明においては、天然忌避剤のうち、ヨモギエキス含有液及びドクダミエキス含有液を主成分とする植物エキス含有液組成物が、好ましく用いられる。
当該植物エキス含有液組成物は、コクゾウ、スジコナマダラメイガ、ノシメマダラメイガ等のメイガ科（Ｐｙｒａｌｉｄａｃ）、ゴキブリ等の貯穀害虫、コイガのような衣料害虫、ダニのような人体害虫、蟻、ゴミ虫、蛾、羽蟻等の虫類の成虫・幼虫に対し充分な忌避効果を有するとともに、これら虫類の卵に対して孵化抑制効果を有する。また、合成忌避剤等はネコに対して忌避効果を示す場合があるのに対し、当該組成物はネコに対して忌避効果がない。したがって、これを忌避剤として用いたペット用トイレ砂は、ネコに排泄させやすいという機能と、不快害虫の忌避効果の双方をよく発揮する。
しかも、当該植物エキス含有液組成物は、一部の合成忌避剤と異なり、ヒトなど哺乳類に対する毒性が全くない。したがって、住居内や住居付近に設置されるトイレ砂への使用に好適であり、環境、人体、ペットへの影響の低減に特に有利である。
また、上記植物エキス含有液組成物をペット用トイレ砂に含ませると、ペット用トイレ砂が、忌避効果のみならず、脱臭効果、抗菌効果等も発揮するものとなる。よって、例えば、ゼオライトほどの脱臭効果を有さない基材、例えば、草木チップ、紙チップ等を用いた場合にも、上記植物エキス含有液組成物からなる忌避剤を配合することで、忌避効果および脱臭性能に優れたペット用トイレ砂を提供できる。
【００１２】
因みに、ヨモギエキス含有液にドクダミエキス含有液を混合する場合に、ヨモギのエキス成分含有液単独又はドクダミのエキス成分含有液単独の忌避効果に比較して遥かに優れた相乗的忌避効能、産卵及びその孵化抑制効果が発揮されるが、その理由については、必ずしも明らかではない。
前記植物エキス含有液組成物に用いられるヨモギエキス含有液は、キク科の多年草であるヨモギ属の植物（以下、ヨモギ属を指して「ヨモギ」という場合がある）の抽出液に含まれるエキス成分を含有する液である。
このようなヨモギエキス含有液として、苦ヨモギ、アルテミシア・アブロタム、クソニンジン（バカニンジン）、アルテミシア・マノマラ、カワラニンジン（ニンジン）、カワラヨモギ（ネズミヨモギ、カトリグサ）、セメンシナ、オトコヨモギ、ヨモギナ、オオヨモギ（ヤマヨモギ、エゾヨモギ）、ミブヨモギ、ヨモギ（カズザキヨモギ、モチグサ）、ハマヨモギ等の抽出液に含まれるエキス成分を含有する液が挙げられる。
【００１３】
前記植物エキス含有液組成物に用いられるドクダミエキス含有液は、ドクダミの抽出液中に含まれるエキス成分を含有する液である。
ドクダミは、生薬「ジュウヤク」の基原植物として知られている。ドクダミは、デカノイル、アセトアルデヒドとラウリンアルデヒド等を含有し、黴の防止、ハクセン菌、タムシ、水虫、ブドウ球菌、利尿作用、毛細血管の強化作用等の効果があるとされ、生葉からエキスを絞ったものを利用したり、生葉を揉んだりして患部に塗ったり、貼ったり、又は、煎じて飲んだりして利用してきており、その効能には、更に害虫忌避作用もあるとされている。
【００１４】
ヨモギエキス含有液及びドクダミエキス含有液としては、ヨモギ及びドクダミを一般的に行われている抽出方法で抽出して得られる抽出原液をそのまま使用することができる。
抽出方法としては、ヨモギ及びドクダミを別々にその乾燥質量の２〜８質量倍の水（精製水が好適である）に、約５時間〜１０日程度、好ましくは約６０時間〜１８０時間、浸して抽出する方法がある。抽出温度は、１０〜９０℃程度、好ましくは１５〜４０℃程度の常温で自然抽出するのが好適である。
即ち、典型的には、自然乾燥させたヨモギ及びドクダミを別々に３〜５ｋｇを常温にて精製水１０〜１０リットルに約１２０時間浸し、自然抽出する。なお、抽出法に関しては、例えば熱水抽出法、アルコール抽出法、水蒸気蒸留法、ソックスレー抽出器を用いる抽出法で抽出してもよい。
【００１５】
上記のヨモギ及びドクダミからエキス成分を抽出する場合、植物の全草を用いてもよいが花、茎、根、葉、種子、果実、樹皮等、各植物において特に忌避作用の強い成分を多く含有する部位が明らかである場合は、その部位を選択して用いることが好ましい。また、植物をそのまま抽出してもよく、細切、乾燥、粉砕等の処理を行ってから抽出操作を行ってもよい。
【００１６】
前記植物エキス含有液組成物に使用する、ヨモギエキス含有液とドクダミエキス含有液としては、上記した種々の抽出方法によって得られる抽出液（原液）同士を任意に混合して使用することができる。むろん、該抽出液を濃縮して得られる固体状或いは液体状のエキス分を水に再溶解してエキス含有液を調整して使用することもできる。
また、ヨモギエキス含有液とドクダミエキス含有液は、共に同じ抽出方法によって原料ヨモギ及び原料ドクダミから抽出されたものであることが好ましい。
【００１７】
前記植物エキス含有液組成物において、ヨモギエキス含有液とドクダミエキス含有液の含有比は、質量比で７５：２５〜５０：５０であることが好ましい。
特に、同じ抽出方法で得た抽出原液同士を混合する場合に、ヨモギ抽出原液（ヨモギエキス含有液）とドクダミ抽出原液（ドクダミエキス含有液）の質量比が７５：２５〜５０：５０となるように混合することが好ましいことが判明している。但し、抽出方法が異なっている抽出原液同士でも、両抽出原液を混合使用するだけで各単独使用の場合に比較してより強い効果が得られることは判明しているので、本発明は、各種の抽出方法によって得られるヨモギ抽出原液とドクダミ抽出原液を任意に組み合わせて使用している植物エキス含有液組成物を包含するものである。
【００１８】
前記植物エキス含有液組成物は、緑茶エキス成分、熊笹エキス成分、朝鮮人参葉炭化エキス成分、山椒炭化エキス成分、檜（ヒノキ）地下茎エキス成分、菖蒲葉エキス成分及びびわ葉エキス成分から選ばれる少なくとも一種の成分をさらに含むことが、忌避性能の向上のために好ましい。
なお、緑茶エキス成分、熊笹エキス成分、朝鮮人参葉炭化エキス成分、山椒炭化エキス成分、檜地下茎エキス成分、菖蒲葉エキス成分、びわ葉エキス成分も、一般的に知られている抽出方法により得られる抽出原液をそのまま使用することができる。
また、前記植物エキス含有液組成物は、忌避効能の持続性を高めるための持続性向上剤、ケイソウ土、焼成ケイソウ土、酸化アルミニウム、炭酸マグネシウム、アルミノケイ酸マグネシウム、焼成カオリン、無定形シリカ、珪酸カルシウム、酸化マグネシウム、活性白土、ゼオライトなどその他の成分を含んでいても構わない。
【００１９】
植物エキス含有液組成物は、例えば、同じ抽出方法によって得られているヨモギ抽出原液とドクダミ抽出原液の質量比が７５：２５〜５０：５０となるように混合し、所望によりその他の成分を添加し、全体が１００（質量％）になるように調整することで得ることができる。
【００２０】
（その他成分）
本発明のペット用トイレ砂は、基材、忌避剤以外の任意成分を含んでいてもよい。任意成分としては、芳香剤、臭い吸着剤、抗菌剤等が例示される。
【００２１】
前記基材および前記忌避剤を含むペット用トイレ砂は、例えば、前記基材に、前記忌避剤またはその溶液を添加して製造することができる。
このとき、前記基材１００質量％に対して０．０１〜１０質量％、さらに好ましくは０．０５〜１．０質量％の前記忌避剤を配合することが、忌避効果とコストとのバランスから好ましい。
また、忌避剤の配合率を、基材１００質量％に対して１．０質量％以下として得られるペット用トイレ砂は、後述する第一の使用形態に好適である。また、基材１００質量％に対して忌避剤の配合率を１．０質量％超としたペット用トイレ砂は、後述する第二の使用形態に好適である。
【００２２】
忌避剤を基材に添加する際、忌避剤の配合率に応じて、各種方式を採用することができる。
例えば、忌避剤の配合率が、基材１００質量％に対して１０質量％以下の場合、分散剤の添加された基材を支持台に載せて移動させつつ、忌避剤またはその溶液を滴下し、その後攪拌することで、ペット用トイレ砂を得ることができる。
忌避剤の配合率が１０質量％を超える（好ましくは１０質量％超６０質量％以下である）場合、基材と忌避剤溶液とをタンク等に仕込んで攪拌混合してマスターバッチを作製し、ペレットに成形されたマスターバッチをペット用トイレ砂として提供することができる。
得られたペット用トイレ砂において、忌避剤は、その配合率や基材の種類に応じて、基材表面にコーティングされた状態、または、基材の細孔に含浸した状態となっている。例えば、基材が砂、ベントナイト、ゼオライト、紙、草木等の多孔質体であれば、基材の細孔に忌避剤が含浸されたものとなる。基材が樹脂片等の場合、基材表面が忌避剤でコーティングされたものとなる。
得られたペット用トイレ砂は、通常、密閉包装されて輸送、提供される。
【００２３】
本発明のペット用トイレ砂を、単独でペット用トイレの敷材とする第一の使用形態に供してもよいし、公知のネコ砂等と混合して敷材とする第二の使用形態に供してもよい。
第二の使用形態では、本発明のペット用トイレ砂を、例えば、上記で基材として例示したネコ砂や、任意の砂、草木、紙等と混合して敷材とすることができる。
第一、第二の使用形態のいずれにおいても、使用を開始する時点で、敷材１００質量％に対する忌避剤含有率が０．０１〜１０質量％程度となるように調整することが、忌避効果と経済性とのバランスから好ましい。
【００２４】
本発明のペット用トイレ砂を、例えば上述のように使用すると、ペット用トイレ砂自体から忌避剤が空気中へ持続的に拡散する。したがって、本発明のペット用トイレ砂は、ネコ等のペットの体からペット用トイレ砂に落下したノミ等の害虫や、周囲環境に存在する不快害虫に対して、忌避効能を十分に発現することができる。また、多くが屋内に設置され、広く用いられるネコ用トイレ砂として好適である。
また、上記第二の使用形態として、他のネコ砂等と混合して敷材とした場合にも、敷材中で忌避剤は均一に分布するようになるので、忌避効果は良好に発揮される。
以上説明したように、本発明のペット用トイレ砂によれば、ペットをノミ等の害虫から守るとともに、屋内や住居付近に設置されたペット用トイレによる、人に対する不快害虫の問題を排除することができる。
【実施例】
【００２５】
以下に実施例を挙げて、本発明をより具体的に説明するが、勿論これらに限定されるものではない。また、例中の部及び％は特に断らない限り、それぞれ質量部及び質量％を示す。
（ヨモギ、ドクダミ、緑茶、熊笹、朝鮮人参葉、びわ葉、各エキスの抽出）
各実施例で使用したヨモギ抽出原液及びドクダミ抽出原液は、乾燥ヨモギ及び乾燥ドクダミを別々に１０倍の水（２０℃）に浸漬し、５日間かけて自然抽出して抽出原液を得、該抽出原液をそのまま使用した。同じ方法で緑茶、熊笹、朝鮮人参葉、びわ葉の各エキス含有成分についても、それぞれの抽出原液を得てそれらをエキス含有成分としてそのまま使用した。
【００２６】
［効果の評価方法］
（衛生害虫「チャバネゴキブリ」についての忌避評価設備）
縦５００ｍｍ×横４２０ｍｍ×高さ２２０ｍｍの試験容器の中央に、長さ２５０ｍｍ×高さ２２０ｍｍの分離仕切り板が設置され、２つの試験区Ａ及びＢと、供試虫を放つ試験区Ｃとが設けられている。ペットフードを入れた餌箱が、試験区Ａ及びＢに各々１個置かれている。容器の上部全体は供試虫が逃亡できないように透明ペット（ＰＥＴ：ポリエチレンテレフタレート）板で覆われている（図１参照）。
図１に示す忌避効果評価装置１において、各部の寸法（単位；ｍｍ）は次の通りである。ａ＝５００、ｂ＝４２０、ｃ＝２５０、ｄ＝２５０、ｅ＝２１０、ｆ＝２１０。
（衛生害虫「チャバネゴキブリ」についての忌避評価方法）
前記設備における一方の試験区Ａには、忌避剤を含有させたペット用トイレ砂５００ｇを置き、他方の試験区Ｂには、忌避剤を含有させていないペット用トイレ砂５００ｇを置く。次いで容器内の試験区Ｃに、チャバネゴキブリ２５頭を放ち、２０分、４０分、６０分後の試験区Ａ、Ｂ及びＣ内にいるチャバネゴキブリの頭数を数え忌避データとする。
【００２７】
実施例１
ヨモギ抽出原液とドクダミ抽出原液を６０：４０（質量部）の比率で混合した。この混合液を植物エキス含有液組成物とした。この植物エキス含有液組成物からなる忌避剤５．０ｇを、基材として木片チップ５．０ｋｇと混合して忌避剤を含有させたペット用トイレ砂とした。
この忌避剤を含有させたペット用トイレ砂について、衛生害虫「チャバネゴキブリ」に対する忌避効果を図１の装置で試験し評価した。すなわち、この忌避剤を含有させたペット用トイレ砂を試験区Ａに置き、木片チップそのものを、忌避剤を含有させていないペット用トイレ砂として試験区Ｂに置いた。
この評価を１０回行った結果を表１に示す。以下表１、２において「Ｎ数」は評価の回を示す。「忌避率」は、評価時点で試験区内に定着していた頭数の、供試虫総数に対する比率（以下「定着率」という。）を、試験区Ｂ、Ｃについて合計した値を示す。
また、試験区Ａに置いた忌避剤を含有させたペット用トイレ砂は、ネコが忌避せず使用した。
【００２８】
実施例２
植物エキス含有液組成物に、緑茶、熊笹、朝鮮人参葉、びわ葉の各エキスをさらに配合した以外は、実施例１と同様に調製し評価した。結果を表２に示す。
実施例２においても、試験区Ａに置いた忌避剤を含有させたペット用トイレ砂は、ネコが忌避せず使用した。
【００２９】
実験例１
実施例１と同様の基材５．０ｋｇに、樟脳、石膏、ガラス繊維、無機酸化物ゾルの配合物５．０ｇを添加し混合して、従来の忌避剤を用いたペット用トイレ砂とした。このペット用トイレ砂は、ネコに忌避されて使用されなかった。
【００３０】
【表１】
2005312440.tif 000002
【００３１】
【表２】
2005312440.tif 000003
【００３２】
表１、表２に示すように、本発明のペット用トイレ砂は、チャバネゴキブリに対して高い忌避効果を有するものであった。
【図面の簡単な説明】
【００３３】
【図１】実施例における忌避効果評価装置を示す平面図である。
【符号の説明】
【００３４】
１…忌避効果評価装置、２…分離仕切り板、３…試験区Ａ、４…試験区Ｂ、
５…試験区Ｃ、１０…餌箱、
【図１】
2005312440.tif 000004